(57)【特許請求の範囲】
【請求項１】
洋風便器の後部上面に設置される便器上面設備であって、
該洋風便器に固定されるリヤベースプレートと、
該リヤベースプレートの前部側に配置された昇降可能なフロントベースプレートと、
該フロントベースプレートを昇降させる昇降装置と
を有し、該昇降装置は、該リヤベースプレートに固定された駆動装置と、該駆動装置によって昇降する可動プレートとを有し、前記フロントベースプレートは該可動プレートに取り付けられている便器上面設備において、
該フロントベースプレートは、該可動プレートに対し、係合部と、固着手段とによって連結されていることを特徴とする便器上面設備。
【請求項２】
請求項１において、前記可動プレートは、略水平な主板部と、該主板部から立設された縦壁部とを備えており、
前記フロントベースプレートは、該主板部に対し前記固着手段によって固定されており、前記係合部は該縦壁部に係合していることを特徴とする便器上面設備。
【請求項３】
請求項２において、前記縦壁部は便器左右方向に延在していることを特徴とする便器上面設備。
【請求項４】
請求項２又は３において、前記係合部は、前記縦壁部に上方から係合していることを特徴とする便器上面設備。
【請求項５】
請求項２ないし４のいずれか１項において、前記係合部は、前記縦壁部を挟圧していることを特徴とする便器上面設備。
【請求項６】
請求項２ないし５のいずれか１項において、前記縦壁部は前記主板部の後部に設けられていることを特徴とする便器上面設備。
【請求項７】
請求項１ないし５のいずれか１項において、前記固着手段は螺子部材であることを特徴とする便器上面設備。
【発明の詳細な説明】
【技術分野】
【０００１】
本発明は、洋風便器の後部上面に設置される便座ボックス、タンクカバー等の便器上面設備に係り、特に昇降式の便器上面設備に関する。
【背景技術】
【０００２】
洋風便器の上面に設置された便座ボックスあるいはタンクカバーなどの便器上面設備に便座を俯仰方向に回動可能に取り付けた便器設備が周知である。
【０００３】
この便座ボックス等と洋風便器上面との間に尿などの汚れが染み込んで臭気の原因となり易い。そこで、便座ボックスを洋風便器に対し上下動可能とし、洋風便器の清掃時に便座ボックスを便座と共に上方に移動（浮上）させるようにしたものが提案されている。
【０００４】
例えば、特開２００４−３２４１６８号公報には、フロントベースプレートを昇降可能とした便座ボックスが記載されている。また、特開２００４−９７３９２号公報には、フロントベースプレートを昇降可能としたロータンクカバーが記載されている。
【０００５】
これらの便器上面設備にあっては、リヤベースプレートに浮上ユニットと通称される昇降装置が設置されている。この昇降装置は、可動プレートを駆動装置によって上下させるように構成されている。フロントベースプレートはこの可動プレートにビスによって取り付けられている。
【特許文献１】特開２００４−３２４１６８号公報
【特許文献２】特開２００４−９７３９２号公報
【発明の開示】
【発明が解決しようとする課題】
【０００６】
従来の便器上面設備にあっては、フロントベースプレートはビスによって可動プレートに取り付けられているが、取り付け剛性が不足するため、フロントベースプレートが昇降するときにフロントベースプレートにガタツキが生じることがあった。
【０００７】
本発明は、フロントベースプレートの可動プレートに対する取り付けが堅固であり、昇降時におけるフロントベースプレートのガタツキが防止される便器上面設備を提供することを目的とする。
【課題を解決するための手段】
【０００８】
本発明（請求項１）の便器上面設備は、洋風便器の後部上面に設置される便器上面設備であって、該洋風便器に固定されるリヤベースプレートと、該リヤベースプレートの前部側に配置された昇降可能なフロントベースプレートと、該フロントベースプレートを昇降させる昇降装置とを有し、該昇降装置は、該リヤベースプレートに固定された駆動装置と、該駆動装置によって昇降する可動プレートとを有し、前記フロントベースプレートは該可動プレートに取り付けられている便器上面設備において、該フロントベースプレートは、該可動プレートに対し、係合部と、固着手段とによって連結されていることを特徴とするものである。
【０００９】
請求項２の便器上面設備は、請求項１において、前記可動プレートは、略水平な主板部と、該主板部から立設された縦壁部とを備えており、前記フロントベースプレートは、該主板部に対し固着手段によって固定されており、前記係合部は該縦壁部に係合していることを特徴とする。
【００１０】
請求項３の便器上面設備は、請求項２において、前記縦壁部は便器左右方向に延在していることを特徴とするものである。
【００１１】
請求項４の便器上面設備は、請求項２又は３において、前記係合部は、前記縦壁部に上方から係合していることを特徴とするものである。
【００１２】
請求項５の便器上面設備は、請求項２ないし４のいずれか１項において、前記係合部は、前記縦壁部を挟圧していることを特徴とするものである。
【００１３】
請求項６の便器上面設備において、請求項２ないし５のいずれか１項において、前記縦壁部は前記主板部の後部に設けられていることを特徴とするものである。
【００１４】
請求項７の便器上面設備において、請求項１ないし５のいずれか１項において、前記固着手段は螺子部材であることを特徴とするものである。
【発明の効果】
【００１５】
本発明の便器上面設備では、フロントベースプレートが可動プレートに対し係合部と固着手段とによって連結されているので、フロントベースプレートの取り付けが堅固であり、フロントベースプレートの昇降時におけるガタツキが防止される。
【００１６】
請求項２の便器上面設備によると、フロントベースプレートは、可動プレートの略水平な主板部と、該主板部から立ち上がる立壁部の双方に連結されているので、フロントベースプレートの取り付けが堅固である。
【００１７】
請求項３の便器上面設備にあっては、フロントベースプレートの前後方向の動きが縦壁部との係合によって阻止されるので、フロントベースプレートの可動プレートへの取り付けが堅固なものとなる。
【００１８】
請求項４の便器上面設備によると、係合部を縦壁部に対し上方から係合させているので、縦壁部に対しフロントベースプレートを容易に連結することができる。
【００１９】
請求項５の便器上面設備によると、係合部が縦壁部を挟圧しているので、フロントベースプレートの縦壁部への取り付けが堅固である。
【００２０】
請求項６の便器上面設備によると、フロントベースプレートの前部の下方への傾動が防止される。
【００２１】
請求項７の便器上面設備によると、固着手段による固着が容易であり、且つ堅固である。また、修理等の際に固着を容易に解除することができる。
【発明を実施するための最良の形態】
【００２２】
以下、図面を参照して実施の形態について説明する。
【００２３】
第１図は実施の形態に係る便器上面設備を備えた洋風便器の側面図であり、（ａ）図はフロントベースプレートの浮上前、（ｂ）図はフロントベースプレートの浮上後の状態を示している。第２図は、この便器上面設備の分解斜視図、第３図は昇降装置付近の斜視図である。第４図はリヤベースプレートの平面図、第５図はリヤベースプレートの底面図である。第６図はフロントベースプレートの可動プレートへの取り付け構造を示す分解斜視図、第７図は係合部と縦壁部との係合関係を示す斜視図、第８図は係合部の一部破断斜視図、第９図は係合したフロントベースプレートと可動プレートとを示す斜視図、第１０図は第９図のＸ−Ｘ線断面図、第１１図は第１０図のXI−XI線断面図である。
【００２４】
便鉢１ａを有する陶器製の洋風便器１の後部上面に便座ボックス１０が設置されており、この便座ボックス１０に便座２及び便蓋３が起倒方向回動自在に取り付けられている。
【００２５】
この実施の形態では、第２図の通り、洋風便器１の後部に開放口１ｂが設けられている。また、この洋風便器１の最後部の上面の左右両端部にそれぞれボルト挿通孔１ｃが設けられている。洋風便器１の後面には給水ホースを引き込むための孔１ｄが設けられている。
【００２６】
洋風便器１の開放口１ｂと便鉢１ａとの間の平面部１ｅに取付部材４が設置され、ボルト５によって洋風便器１に固定されている。該取付部材４の後部側は、開放口１ｂ上に張り出ている。
【００２７】
該取付部材４の前縁部の左右両端側には、リヤベースプレート２０を係止する係止片４ａが設けられている。この係止片４ａは、取付部材４から起立し、前方へ延出する逆Ｌ字形状である。
【００２８】
この実施の形態では、便座ボックス１０は、該取付部材４を介して便器１に固定されたリヤベースプレート２０と、このリヤベースプレート２０の前部側に配置された昇降可能なフロントベースプレート４０と、該フロントベースプレート４０と共に昇降する無底箱状の合成樹脂製のカバーケース５０とによって外殻が形成されている。フロントベースプレート４０に温水洗浄ノズル４０Ａが設置されている。
【００２９】
リヤベースプレート２０には、昇降装置３０のほか、温水洗浄ノズル４０Ａへ温水を供給するためのヒータ付き温水タンク、ヒータ及び電動ファンよりなる部屋暖房ファン、電源基板、制御回路基板、便鉢やトラップ部へ水を供給するためのバルブユニット等（図示略）が設けられている。
【００３０】
第２図〜第５図の通り、リヤベースプレート２０は、合成樹脂製の板状部材であり、開放口１ｂを覆う大きさを有する。このリヤベースプレート２０は、便座ボックス１０の底面の主要部（前縁側を除く部分）を構成する大きさを有している。
【００３１】
このリヤベースプレート２０の前縁部の下面に鋼などの金属製の補強材２１が取り付けられている。この実施の形態では、補強材２１は、リヤベースプレート２０の左端近傍から右端近傍まで延在する板状であり、ビス２２（第５図）によってリヤベースプレート２０に固着されている。
【００３２】
リヤベースプレート２０及び補強材２１の左右両端側には、これらを上下に貫く開口２３が設けられている。リヤベースプレート２０の後部の左右両端部にはボルト挿通孔２４が設けられている。
【００３３】
開口２３に取付部材４の係止片４ａが差し込まれるように補強材付きリヤベースプレート２０を洋風便器１の後部上面に載置し、リヤベースプレート２０を若干後方にスライドさせると、Ｌ字形の係止片４ａが開口２３の前縁に係合すると共に、リヤベースプレート２０のボルト挿通孔２４が洋風便器１の後縁の左右両端部のボルト挿通孔１ｃと重なり合う。これらのボルト挿通孔２４，１ｃにボルト（図示略）を通してナットを締め込むことにより、リヤベースプレート２０が洋風便器１に固定される。
【００３４】
なお、リヤベースプレート２０には、給水ホース等を引き通すための切込状の透口部２６が設けられている。
【００３５】
このリヤベースプレート２０上に昇降装置３０が設置されている。第３図に明示の通り、この昇降装置３０は、リヤベースプレート２０に固定された固定プレート３１と、該固定プレート３１上に設置された昇降用の駆動装置３２と、該駆動装置３２によって昇降される可動プレート３３と、可動プレート３３の昇降を案内すると共に、可動プレート３３の下降速度を緩速にするためのダンパ３４等を備えている。
【００３６】
駆動装置３２は、図示は省略するが、上下方向に延設されたラックと、該ラックに噛合するピニオンと、該ピニオンを回転させるモータとを有する。モータは固定プレート３１に設けられてもよく、可動プレート３３に設けられてもよい。
【００３７】
この駆動装置３２は、温水洗浄装置用リモコン（図示略）に設けられた昇降スイッチを操作することにより動作する。
【００３８】
なお、固定プレート３１は便器の左右方向に延在する金属製平板状であり、その前縁は補強材２１の後端の上方か、又はそれよりも若干後方に位置している。ただし、固定プレート３１の前縁が補強材２１の上方に位置してもよい。
【００３９】
第３図及び第６図に明示の通り、可動プレート３３は、略水平な主板部３３ｃと、該主板部３３ｃの後部の左右２箇所から立設された逆Ｌ字形縦断面形状の立上片３３ａと、主板部３３ｃの後縁から立設された縦壁部３３ｂとを有する。主板部３３ｃは便器の左右方向に延在する平板状である。縦壁部３３ｂは、可動プレート３３の左右方向の中央付近に位置し、左右方向に延在している。この可動プレート３３は、金属製であり、主板部３３ｃ、立上片３３ａ及び縦壁部３３ｂは折曲加工や溶接などにより一体となっている。
【００４０】
第３図の通り、ダンパ３４は、固定プレート３１に固定されたシリンダ３４ａと、該シリンダ３４ａ内のピストン（図示略）と、該ピストンに連なり、シリンダ３４ａから上方に進退可能に突設されたピストンロッド３４ｂとを有するオイルダンパである。ピストンロッド３４ｂの上端に可動プレート３３の立上片３３ａが取り付けられている。可動プレート３３には、複数個の雌ねじ孔３５が設けられている。
【００４１】
フロントベースプレート４０は、合成樹脂製の板状部材であり、便座ボックス１０の底面のうち前縁側を構成するものである。
【００４２】
第６図〜第１１図の通り、フロントベースプレート４０は、ビス挿通孔４１を有した水平プレート部４２と、この水平プレート部４２の後縁から立設され、左右方向に延在した縦プレート部４３と、この縦プレート部４３の左右両側部分にそれぞれ設けられた係合部４４等を有している。
【００４３】
この係合部４４は、縦プレート部４３の上端付近から後方へ延出した天板部４４ａと、天板部４４ａの後縁から垂下する垂下部４４ｂと、側縁部４４ｃ（第１０図）と、縦プレート部４３の後面から垂下部４４ｂに向って突設された凸条４４ｄとを有する。
【００４４】
この凸条４４ｄは、垂下部４４ｂと縦プレート部４３との間隔を狭めるように形成されたものであり、複数本、互いに平行に上下方向に延設されている。凸条４４ｄの下部は、下端側ほど縦プレート部４３からの突出高さが減少するように傾斜している。
【００４５】
なお、側縁部４４ｃは、フロントベースプレート４０の左右方向の中央から離隔した側の垂下部４４ｂ側辺に沿って上下方向に延設されており、垂下部４４ｂと縦プレート部４３とを連結している。
【００４６】
このフロントベースプレート４０は、その後縁側がリヤベースプレート２０の前縁側の上方に位置する。フロントベースプレート４０の前縁側は、リヤベースプレート２０の前縁から所定長さ（例えば５０〜１００ｍｍ程度）前方に延出し、その前端がカバーケース５０の前縁と合致するよう構成されている。
【００４７】
このフロントベースプレート４０には、人体臀部を温水で洗浄するための温水洗浄ノズル４０Ａのほか、図示は省略するが、モータ駆動式温水切替弁装置や、便座２及び便蓋３を開閉させる電動開閉ユニット、人体臀部に向けて温風を吹き出してその乾燥を行う温風ファン、便鉢内から臭気を含んだ空気を吸引して脱臭する脱臭ファン及び脱臭カートリッジ等が設けられている。なお、詳細な図示は省略するが、水平プレート部４２には、これらの機器を設置するための凹凸やボス部等が設けられている。
【００４８】
このフロントベースプレート４０の後部を前記可動プレート３３上に載置し、この際、係合部４４を縦壁部３３ｂの左右両端側の上端に上方から嵌合させる。そして、ボルト又はビス４６をフロントベースプレート４０のボルト挿通孔４１を通して可動プレート３３の雌ねじ孔３５にねじ込むことにより、フロントベースプレート４０が可動プレート３３に固定される。
【００４９】
なお、係合部４４を縦壁部３３ｂに嵌合させると、縦壁部３３ｂが凸条４４ｄと垂下部４４ｂとの間で挟み付けられる。即ち、凸条４４ｄの下端と垂下部４４ｂとの間隔は、縦壁部３３ｂの板厚よりも大きく設定されており、縦壁部３３ｂを係合部４４に導入し易くしている。凸条４４ｄの上部と垂下部４４ｂとの間隔は縦壁部３３ｂの板厚よりも若干小さくなるように設定されている。そのため、縦壁部３３ｂが係合部４４に差し込まれると、縦壁部３３ｂが垂下部４４ｂと凸条４４ｄとで挟み付けられた挟圧状態となる。これにより、フロントベースプレート４０の前後方向の動きが阻止される。
【００５０】
前記カバーケース５０は、第１図の通り、下側のメインカバー部５１と、該メインカバー部５１に着脱可能に装着されたトップカバー部５２とからなる。メインカバー部５１がフロントベースプレート４０に取り付けられている。
【００５１】
便座ボックス１０を洋風便器１に取り付けるには、まず取付部材４を第２図の如く洋風便器１にボルト５によって取り付けておく。次いで、リヤベースプレート２０、昇降装置３０、フロントベースプレート４０及びメインカバー部５１が一体となった便座ボックス１０の本体部分を該取付部材４上に載せ、前述の通り、開口２３の前縁部に係止片４ａを係合させると共に、ボルト挿通孔２４，１ｃにボルト（図示略）を通し、該ボルトにナット（図示略）を締め込み、便座ボックス１０の本体部分を洋風便器１に固定する。次いで、メインカバー部５１にトップカバー部５２を装着する。
【００５２】
このように構成された便座ボックス１０を有する洋風便器設備において、リモコンの浮上スイッチを操作すると、昇降装置３０の駆動装置３２のモータが正転し、第１図（ｂ）の如くフロントベースプレート４０及びカバーケース５０が上昇する。これにより、便座ボックス１０で覆われていた洋風便器平面部１ｅが露出するので、この平面部１ｅ等を念入りに掃除することができる。
【００５３】
リモコンの下降スイッチを操作すると、駆動装置３２のモータが逆転し、フロントベースプレート４０及びカバーケース５０が第１図（ａ）の如く洋風便器１上に降下した着底状態となる。
【００５４】
この実施の形態では、フロントベースプレート４０を、螺子（この実施の形態ではボルト又はビス４６）と、係合部４４の縦壁部３３ｂへの係合との２つの連結機構によって可動プレート３３に連結しているので、フロントベースプレート４０と可動プレート３３との連結が堅固である。そのため、フロントベースプレート４０の昇降時のガタツキが防止される。
【００５５】
特に、この実施の形態では、係合部４４を縦壁部３３ｂに係合させてフロントベースプレート４０の前後方向の動きを阻止し、水平プレート部４２を水平な主板部３３ｃにボルト又はビス４６によって留め付けるようにしているので、フロントベースプレート４０の可動プレート３３への連結が堅固である。
【００５６】
また、この実施の形態では、係合部４４において縦壁部３３ｂを垂下部４４ｂと凸条４４ｄとによって挟圧しているので、フロントベースプレートの取り付けが堅固である。垂下部４４ｂ及び凸条４４ｄはフロントベースプレート４０と一体の合成樹脂製であるため、垂下部４４ｂ及び凸条４４ｄは縦壁部３３ｂに強固に押し付けられる。
【００５７】
この実施の形態では、係合部４４を縦壁部３３ｂに対し上方から係合させているので、両者の係合作業が容易である。なお、凸条４４ｄの下端側を傾斜させているので、縦壁部３３ｂの係合部４４への挿入がスムーズに行われる。
【００５８】
この便座ボックス１０では、リヤベースプレート２０の前縁部に補強材２１を設けているので、リヤベースプレート２０の前縁部の反り等の変形が防止される。このため、便座ボックス１０を取付部材４に取り付けるべく便座ボックス１０の本体部を取付部材４上に載せたときにリヤベースプレート２０の前縁部が取付部材４に全面的に密着するように重なる。このため、係止片４ａをスムーズに開口２３に差し込み、便座ボックス１０の本体部と取付部材４とを連結することができる。従って、便座ボックス１０の据え付け作業を容易に行うことができる。
【００５９】
この実施の形態にあっては、補強材２１及びリヤベースプレート２０の左右両端側の開口２３を取付部材４の係止片４ａに係止させるので、リヤベースプレート２０の取付部材４への取り付けが堅固なものとなる。
【００６０】
この実施の形態では、補強材２１をリヤベースプレート２０の下面側に取り付けているので、リヤベースプレート２０の上面側に機器を補強材２１との干渉なしに設置することができる。そのため、機器の配置自由度が高い。
【００６１】
さらに、この実施の形態によると、昇降装置３０を補強材２１の近傍領域に配置しているので、昇降装置３０の重量が大きい場合であってもリヤベースプレート２０の変形が防止される。
【００６２】
［別の実施の形態］
係合部の別形状例について第１２図〜第１４図を参照して説明する。
【００６３】
第１２図の係合部４４Ａは、縦壁部３３ｂの上縁の略全体に上方から嵌合する逆Ｌ字形の縦断面形状のものである。
【００６４】
第１３図の係合部４４Ｂは、縦壁部３３ｂの側縁に対し上方から嵌合するように、水平断面がＬ字形状とされたものである。
【００６５】
第１４図（ａ），（ｂ）の係合部４４Ｃは、縦壁部３３ｂの上縁の略全体に対し上方から嵌合するように逆Ｌ字形の縦断面形状になっていると共に、係合部４４Ｃの両側部にあっては、縦壁部３３ｂの側縁に対し上方から嵌合するように、水平断面がＬ字形状とされたものである。なお、第１４図（ｂ）は同（ａ）のＢ−Ｂ線断面図である。
【００６６】
上記実施の形態は本発明の一例であり、本発明は図示以外の形態とされてもよい。例えば、上記実施の形態では、フロントベースプレート４０は昇降装置３０によって昇降するよう構成されているが、手動によって昇降するよう構成されてもよい。
【００６７】
上記実施の形態では、螺子によってフロントベースプレートを可動プレートに固着しているが、接着剤によって固着してもよい。
【００６８】
上記実施の形態では、凸条４４ｄの上部と垂下部４４ｂとの間隔は縦壁部３３ｂの板厚よりも若干小さくなるように設定されているが、この間隔は、フロントベースプレートの前後の動きをおさえることができればよく、縦壁部３３ｂの板厚と略同等の厚みであってもよく、また、それよりも若干大きくてもよい。
【００６９】
上記実施の形態では、係合部を縦壁部に係合させているが、縦壁部以外の箇所に係合部を係合させてもよい。
【００７０】
本発明では、可動プレートは縦壁部を有しないものであってもよい。
【００７１】
上記実施の形態では便器上面設備は便座ボックスであるが、タンクカバーであってもよい。便座ボックスやタンクカバーの形状、大きさは特に限定されるものではない。
【００７２】
上記実施の形態の係合部の数や形状は本発明の一例であり、これに限定されない。
【図面の簡単な説明】
【００７３】
【図１】実施の形態に係る便器上面設備を備えた洋風便器の側面図である。（ａ）図はフロントベースプレートの浮上前、（ｂ）図はフロントベースプレートの浮上後の状態を示している。
【図２】便器上面設備の分解斜視図である。
【図３】昇降装置付近の斜視図である。
【図４】リヤベースプレートの平面図である。
【図５】リヤベースプレートの底面図である。
【図６】フロントベースプレートの可動プレートへの取り付け構造を示す分解斜視図である。
【図７】係合部と縦プレート部との係合関係を示す斜視図である。
【図８】係合部の一部破断斜視図である。
【図９】係合したフロントベースプレートと可動プレートとを示す斜視図である。
【図１０】図９のＸ−Ｘ線断面図である。
【図１１】図１０のXI−XI線断面図である。
【図１２】係合部の別形状の説明図である。
【図１３】係合部の別形状の説明図である。
【図１４】係合部の別形状の説明図である。
【符号の説明】
【００７４】
１  洋風便器
１ａ  便鉢
１ｂ  開放口
１ｃ  ボルト挿通孔
１ｅ  平面部
２  便座
３  便蓋
４  取付部材
４ａ  係止片
１０  便座ボックス
２０  リヤベースプレート
２１  補強材
２３  開口
３０  昇降装置
３１  固定プレート
３２  駆動装置
３３  可動プレート
３３ａ  立上片
３３ｂ  縦壁部
３３ｃ  主板部
３４  ダンパ
３５  雌ねじ孔
４０  フロントベースプレート
４１  挿通孔
４２  水平プレート部
４３  縦プレート部
４４，４４Ａ，４４Ｂ，４４Ｃ  係合部
４４ａ  天板部
４４ｂ  垂下部
４４ｃ  側縁部
４４ｄ  凸条
５０  カバーケース
【図１】
0004998372.tif 000002
【図２】
0004998372.tif 000003
【図３】
0004998372.tif 000004
【図４】
0004998372.tif 000005
【図５】
0004998372.tif 000006
【図６】
0004998372.tif 000007
【図７】
0004998372.tif 000008
【図８】
0004998372.tif 000009
【図９】
0004998372.tif 000010
【図１０】
0004998372.tif 000011
【図１１】
0004998372.tif 000012
【図１２】
0004998372.tif 000013
【図１３】
0004998372.tif 000014
【図１４】
0004998372.tif 000015